(57)【要約】      （修正有）【課題】集塵アタッチメントを後付けすることにより、集塵ホースの取り付けが可能になって作業性を向上させることができる集塵アタッチメントの取り付け構造を提供する。【解決手段】電動工具本体を締め付ける締め付けバンドと、フック先端側に挿入部を有し、フック基端側に固定部を有するフック状の取り付け体と、先端側に集塵口を有する筒状の集塵アタッチメントとを備える。電動工具本体の外周に締め付けバンドを取り付け、取り付け体の固定部を集塵アタッチメントに固定し、取り付け体の挿入部を電動工具本体と締め付けバンドとの間に挿入し、集塵アタッチメントの集塵口を電動工具の保護カバーに近接させた状態で締め付けバンドを締め付けて集塵アタッチメントを電動工具に取り付ける。【選択図】図１
0003178211.tif 000002
【実用新案登録請求の範囲】
【請求項１】
電動工具本体と、前記電動工具本体から突出する回転軸と、前記回転軸に取り付けられる研削切断ディスクと、前記研削切断ディスクを覆う保護カバーとを備えた電動工具に取り付けられて集塵する集塵アタッチメントの取り付け構造であって、
前記電動工具本体を締め付ける締め付けバンドと、
フック先端側に挿入部を有し、フック基端側に固定部を有するフック状の取り付け体と、
先端側に集塵口を有する筒状の集塵アタッチメントと、
を備えており、
前記電動工具本体の外周に前記締め付けバンドを取り付け、
前記取り付け体の前記固定部を前記集塵アタッチメントに固定し、前記取り付け体の前記挿入部を前記電動工具本体と前記締め付けバンドとの間に挿入し、
前記集塵アタッチメントの前記集塵口を前記電動工具の保護カバーに近接させた状態で前記締め付けバンドを締め付けて前記集塵アタッチメントを前記動工具に取り付けることを特徴とする集塵アタッチメントの取り付け構造。
【請求項２】
前記集塵アタッチメントの集塵口における口縁部の一部に凹み部を形成し、
前記凹み部を前記電動工具の保護カバーの端部に合致させた状態で前記集塵アタッチメントを前記電動工具に取り付けることを特徴とする請求項１に記載の集塵アタッチメントの取り付け構造。
【請求項３】
前記締め付けバンドは前記集塵アタッチメントが前記電動工具の把持部と平行になるように構成されていることを特徴とする請求項１または請求項２に記載の集塵アタッチメントの取り付け構造。
【請求項４】
前記集塵アタッチメントの集塵口の外径は、集塵ホース取付部の外径とほぼ同径か、又は大としていることを特徴とする請求項１〜請求項３に記載の集塵アタッチメントの取り付け構造。
【請求項５】
前記取り付け体の開口部寸法は、締め付けバンドの厚さ寸法より大とすると共に、フック先端側の挿入部は外方上向きのテーパー面が形成されていることを特徴とする請求項１または請求項３に記載の集塵アタッチメントの取り付け構造。
【考案の詳細な説明】
【技術分野】
【０００１】
本考案は、研削切断する際に発生する塵埃を集塵除去する集塵アタッチメントを電動工具に取り付ける集塵アタッチメントの取り付け構造に関するものである。
【背景技術】
【０００２】
研削切断の作業現場においては、作業環境を絶えず清潔に保つことが安全上の配慮から望ましい。そこで従来は集塵機を購入し、現場に持ち込んで使用していたが、狭い作業現場や足場や環境に制限があるため、機材の持ち込にも制約を受ける。
【０００３】
そこで、集塵機を作業場所から離した位置に設置し、集塵機から延びる集塵ホースを一方の手で持ち、電動工具を他方の手で持って作業が行われていたが、手首の疲労度が大きくなり、作業者の負担が大きくなるという問題があった。
【０００４】
そこで、電動工具の保護カバーに集塵ホースを直接取り付けた電動工具が提案されていた（特許文献１）。
【先行技術文献】
【特許文献】
【０００５】
【特許文献１】特開２０１２−３５３８７号公報
【考案の概要】
【考案が解決しようとする課題】
【０００６】
しかしながら、既存の電動工具には適用することができないため、電動工具を新たに購入しなければならず、経済的負担が大きくなるという問題があった。
【０００７】
そこで、本願考案が解決しようとする第１の課題は、集塵ホースが取り付けられない既存の電動工具であっても、集塵アタッチメントを後付けすることにより、集塵ホースの取り付けが可能になって作業性を向上させることができる集塵アタッチメントの取り付け構造を提供することである。
【０００８】
本願考案が解決しようとする第２の課題は、大きな集塵効果を発揮することができる集塵アタッチメントの取り付け構造を提供することである。
【０００９】
本願考案が解決しようとする第３の課題は、さらに大きな集塵効果を発揮することができる集塵アタッチメントの取り付け構造を提供することである。
【００１０】
本願考案が解決しようとする第４の課題は、集塵ホースの装着が容易な集塵アタッチメントの取り付け構造を提供することである。
【００１１】
本願考案が解決しようとする第５の課題は、集塵アタッチメントにおける取り付け体を締め付けバンドへの装着作業が円滑に行われる集塵アタッチメントの取り付け構造を提供することである。
【課題を解決するための手段】
【００１２】
本願考案者は、上記のように、従来技術が有する各種の問題点に鑑み、鋭意検討を重ねて集塵アタッチメントの取り付け構造を完成させたものである。
＊＊＊＊＊＊＊＊＊＊＊＊＊＊＊＊＊＊＊＊＊＊＊＊＊＊＊＊＊＊＊＊＊＊＊
本願の明細書、実用新案登録請求の範囲等に記載の用語についての解釈上の疑義を解消すべく、以下本願明細書、実用新案登録請求の範囲等に記載する用語の説明を行うこととする。
＜用語の説明＞
●「電動工具」とは、主としてディスクサンダー（ディスクグラインダーとも称呼される）の意味であって、電動モータが内蔵されており、研削、切断、研磨などの用途と、材料に合わせたディスクを取り付ける。そして、例えば、切断する場合には、ディスクを縦向きにして材料に当て、研磨する場合にはディスクの面を材に向ける。
●「集塵アタッチメント」とは、研削、切断等の際に発生する塵埃を集めて集塵機の集塵ホースを通して除去するためのアタッチメントである。
＊＊＊＊＊＊＊＊＊＊＊＊＊＊＊＊＊＊＊＊＊＊＊＊＊＊＊＊＊＊＊＊＊＊＊
【００１３】
課題を解決するための手段（第１考案〜第５考案）は、本願、実用新案登録請求の範囲の各請求項に記載の考案であり、具体的には、
第１考案は、請求項１に記載の考案であり、
第２考案は、請求項２に記載の考案であり、
第３考案は、請求項３に記載の考案であり、
第４考案は、請求項４に記載の考案であり、
第５考案は、請求項５に記載の考案である。
具体的な課題を解決するための手段は、以下の通りである。
【００１４】
請求項１に記載の考案は、
電動工具本体と、前記電動工具本体から突出する回転軸と、前記回転軸に取り付けられる研削切断ディスクと、前記研削切断ディスクを覆う保護カバーとを備えた電動工具に取り付けられて集塵する集塵アタッチメントの取り付け構造であって、
前記電動工具本体を締め付ける締め付けバンドと、
フック先端側に挿入部を有し、フック基端側に固定部を有するフック状の取り付け体と、
先端側に集塵口を有する筒状の集塵アタッチメントと、
を備えており、
前記電動工具本体の外周に前記締め付けバンドを取り付け、
前記取り付け体の前記固定部を前記集塵アタッチメントに固定し、前記取り付け体の前記挿入部を前記電動工具本体と前記締め付けバンドとの間に挿入し、
前記集塵アタッチメントの前記集塵口を前記電動工具の保護カバーに近接させた状態で前記締め付けバンドを締め付けて前記集塵アタッチメントを前記電動工具に取り付けることを特徴とする集塵アタッチメントの取り付け構造である。
【００１５】
請求項２に記載の考案は、
前記集塵アタッチメントの集塵口における口縁部の一部に凹み部を形成し、
前記凹み部を前記電動工具の保護カバーの端部に合致させた状態で前記集塵アタッチメントを前記電動工具に取り付けることを特徴とする請求項１に記載の集塵アタッチメントの取り付け構造である。
【００１６】
請求項３に記載の考案は、
前記締め付けバンドは前記集塵アタッチメントが前記電動工具の把持部と平行になるように構成されていることを特徴とする請求項１または請求項２に記載の集塵アタッチメントの取り付け構造である。
【００１７】
請求項４に記載の考案は、前記集塵アタッチメントの集塵口の外径は、集塵ホース取付部の外径とほぼ同径か、又は大としていることを特徴とする請求項１〜請求項３に記載の集塵アタッチメントの取り付け構造である。
【００１８】
請求項５に記載の考案は、前記取り付け体の開口部寸法は、締め付けバンドの厚さ寸法より大とすると共に、フック先端側の挿入部は外方上向きのテーパー面が形成されていることを特徴とする請求項１または請求項３に記載の集塵アタッチメントの取り付け構造である。
【考案の効果】
【００１９】
本願考案に係る、集塵アタッチメントの取り付け構造は、上記のような特徴的構成要件から構成され、特徴的構成要件に応じた、以下のような本願考案特有の効果を奏する。また、上記のような特徴的構成要件から構成された集塵アタッチメントの取り付け構造によれば、本願考案の課題を十分解消することができた。
すなわち、第１の考案によれば、
「電動工具本体と、前記電動工具本体から突出する回転軸と、前記回転軸に取り付けられる研削切断ディスクと、前記研削切断ディスクを覆う保護カバーとを備えた電動工具に取り付けられて集塵する集塵アタッチメントの取り付け構造であって、
前記電動工具本体を締め付ける締め付けバンドと、
フック先端側に挿入部を有し、フック基端側に固定部を有するフック状の取り付け体と、
先端側に集塵口を有する筒状の集塵アタッチメントと
を備えており、
前記電動工具本体の外周に前記締め付けバンドを取り付け、
前記取り付け体の前記固定部を前記集塵アタッチメントに固定し、前記取り付け体の前記挿入部を前記電動工具本体と前記締め付けバンドとの間に挿入し、
前記集塵アタッチメントの前記集塵口を前記電動工具の保護カバーに近接させた状態で前記締め付けバンドを締め付けて前記集塵アタッチメントを前記電動工具に取り付ける」という特徴的構成要件により、
集塵ホースが取り付けられない既存の電動工具であっても、集塵アタッチメントを後付けすることにより、集塵ホースの取り付けが可能になって作業性を向上させることができる集塵アタッチメントの取り付け構造を提供するという、第１の課題を解決することができた。
【００２０】
また、第２の考案によれば、
「前記集塵アタッチメントの集塵口における口縁部の一部に凹み部を形成し、
前記凹み部を前記電動工具の保護カバーの端部に合致させた状態で前記集塵アタッチメントを前記電動工具に取り付ける」という特徴的構成要件により、
上記の構成を採用することにより、
大きな集塵効果を発揮することができる集塵アタッチメントの取り付け構造を提供するという、第２の課題を解決することができた。
【００２１】
また、第３の考案によれば、
「前記締め付けバンドは前記集塵アタッチメントが前記電動工具の把持部と平行になるように構成されている」という特徴的構成要件により、
さらに大きな集塵効果を発揮することができる集塵アタッチメントの取り付け構造を提供するという、第３の課題を解決することができた。
【００２２】
また、第４の考案によれば、
「前記集塵アタッチメントの集塵口の外径は、集塵ホース取付部の外径とほぼ同径か、又は大としている」という特徴的構成要件により、
集塵ホースの装着が容易な集塵アタッチメントの取り付け構造を提供するという、第４の課題を解決することができた。
【００２３】
また、第５の考案によれば、
「前記取り付け体の開口部寸法は、締め付けバンドの厚さ寸法より大とすると共に、フック先端側の挿入部は外方上向きのテーパー面が形成されている」という特徴的構成要件により、
集塵アタッチメントにおける取り付け体を締め付けバンドへの装着作業が円滑に行われる集塵アタッチメントの取り付け構造を提供するという、第５の課題を解決することができた。
【図面の簡単な説明】
【００２４】
【図１】本願考案の実施形態における集塵アタッチメントの取り付け構造の組立て状態を示す斜視図である。
【図２】本願考案の実施形態における集塵アタッチメントの取り付け構造を示す斜視図である。
【図３】（イ）本願考案の実施形態における集塵アタッチメントを締め付けバンドに固定した状態の拡大断面図、（ロ）取り付け体を締め付けバンドに固定した状態の拡大断面図である。
【考案を実施するための形態】
【００２５】
以下、本願考案を実施の形態に基づき図面を参照しつつ説明する。
【００２６】
図１は、本願考案の実施形態における集塵アタッチメントの取り付け構造の組立て状態を示す斜視図である。図２は、本願考案の実施形態における集塵アタッチメントの取り付け構造を示す斜視図である。図３は、本願考案の実施形態における集塵アタッチメントを締め付けバンドに固定した状態の拡大断面図である。
【００２７】
（１）電動工具の構成
電動工具は、図１で示すように、電動工具本体１と、電動工具本体１内に内蔵されている電動モータ（不図示）からの出力軸である回転軸２と、この回転軸２の外周の電動工具本体１に固定される保護カバー３と、この保護カバー３内に位置して取り付けられる研削切断ディスク４とから構成される。保護カバー３は、半円皿状に形成され、ボルト、ねじ等の固定具により、着脱可能に固定される。
【００２８】
（２）集塵アタッチメントの取り付け構造の構成
図２及び図３に示すように、集塵アタッチメント５は、電動工具本体１を締め付ける締め付けバンド６および取り付け体７により、電動工具に固定される。
集塵アタッチメント５は、円筒状に形成されており、先端側に集塵口５１を有し、後端側には集塵ホース８が着脱自在に取り付けられる。
【００２９】
取り付け体７は、フック状に形成されており、フック先端側に挿入部７１を有し、フック基端側に固定部７２を有する。図３（イ）に示すｄ１は、集塵アタッチメント５における集塵口５１の外径寸法で、ｄ２は集塵ホース８の取付部の外径寸法であり、ｄ１はｄ２と同径もしくは大とされているので、集塵アタッチメント５への集塵ホース８の装着が容易である。また図３（ロ）に示すように、挿入部７１に延設された開口部の寸法ｔ１は、締め付けバンド６の厚さ寸法ｔ２より大とされ、かつ挿入部７１は、外方上向きのテーパー面が形成されており、取り付け体７の締め付けバンド６への装着作業は円滑に行うことができる。
【００３０】
締め付けバンド６としては、公知のものが使用され、例えば、内側バンド部と外側バンド部とを重ね合わせて内側および外側バンド部にそれぞれ形成された係合爪と係合孔を係合させることによりリング状に形成される金属帯状のバンド本体６２と、締め付けネジ６１を備えており、バンド本体６２を縮径して電動工具本体１を締め付ける。なお、締め付けネジ６１はスパナ等を用いて締め付けられる。
【００３１】
（３）集塵アタッチメントの取り付け作業
取り付け体７の固定部７２を集塵アタッチメント５に予め固定しておき、電動工具本体１の外周に締め付けバンド６を取り付け、取り付け体７の挿入部７１を電動工具本体１と締め付けバンド６との間に挿入した後、集塵アタッチメント５の集塵口５１を電動工具の保護カバー３に近接させた状態で締め付けバンド６を締め付けることにより、集塵アタッチメント５を電動工具に取り付ける。このようにして集塵アタッチメント５が取り付けされた電動工具は、通常の作業と同様にして使用され、図１に示すように、作業者が電動工具本体１の把持部Ｈを片手で握って作業が行われる。
【００３２】
（４）その他
図２に示すように、集塵アタッチメント５の集塵口５１の口縁部の一部には凹み部５２が形成されており、図１に示すように、凹み部５２を電動工具の保護カバー３の端部に合致させた状態で集塵アタッチメント５を電動工具に取り付ける。
【００３３】
そして、締め付けバンド６は、集塵アタッチメント５が電動工具本体１の把持部Ｈと平行になるように構成されていることにより、最も集塵効率の良い位置に集塵アタッチメント５の集塵口５１を向けることができる。
【００３４】
以上、本考案を実施の形態に基づいて説明したが、本考案と均等の範囲内において、変更することができる。
【符号の説明】
【００３５】
１          電動工具本体
２          回転軸
３          保護カバー
４          研削切断ディスク
５          集塵アタッチメント
６          締め付けバンド
７          取り付け体
８          集塵ホース
５１        集塵口
５２        凹み部
６１        締め付けネジ
６２        バンド本体
７１        挿入部
７２        固定部
Ｈ          把持部
【図１】
0003178211.tif 000003
【図２】
0003178211.tif 000004
【図３】
0003178211.tif 000005